(57)【要約】      （修正有）【課題】積み重ねたコンテナとリーダライタとの確実な通信を実現するコンテナ測位システムを提供する。【解決手段】システムは、電子タグと、リーダライタと、検出モジュールとから構成する。コンテナに設置された電子タグはコンテナの測位情報と製品識別情報を記憶する。検出モジュールは電子タグの蓄電量を検出し、設定された電気量閾値よりも大きい時に、電子タグへ第１レベル信号を送信することで読み書き動作モードに設定する。電子タグは、指定領域内のその他の電子タグへ情報取得信号を送信し、それぞれが記憶した製品識別情報を受信して記憶する。リーダライタは記憶された各製品識別情報を読み取ることで、指定領域内のコンテナの位置を特定する。【選択図】図４
2019109877.tif 000002
【特許請求の範囲】
【請求項１】
電子タグと、リーダライタと、検出モジュールと、を含むコンテナ測位システムであって、
前記電子タグはコンテナに設置され、その電子タグが配置されたコンテナの測位情報が含まれた、前記コンテナの製品識別情報を記憶するように配置され、
前記検出モジュールは、前記電子タグの蓄電量を検出し、前記蓄電量が、設定された電気量閾値よりも大きい時に、前記電子タグへ第１レベル信号を送信するように配置され、
前記電子タグは、前記第１レベル信号を受信した時に読み書き動作モードを起動し、指定領域内のその他の電子タグへ情報取得信号を送信することで、前記その他の電子タグに、それぞれが記憶した製品識別情報を前記電子タグへ送信させるように配置され、前記電子タグは、前記その他の電子タグが送信した製品識別情報を受信した後に、受信した前記製品識別情報を記憶し、
前記リーダライタは、前記電子タグに記憶された製品識別情報を読み取ることで、指定領域内のコンテナの位置を特定するように配置される、
コンテナ測位システム。
【請求項２】
前記検出モジュールは、前記電子タグの蓄電量が前記設定された電気量閾値以下であることを検出した時に、前記電子タグへ第２レベル信号を送信するように配置され、
前記電子タグは、前記第２レベル信号を受信した時にレスポンス動作モードを起動し、前記レスポンス動作モードにおいて、情報取得信号を受信した後に、前記製品識別情報を、前記情報取得信号を送信する電子タグへ送信するように配置される、
請求項１に記載のコンテナ測位システム。
【請求項３】
前記電子タグは、前記第１レベル信号を受信した時に、前記電子タグに対応するコンテナをリーダコンテナとして設定し、前記第２レベル信号を受信した時に、前記電子タグに対応するコンテナをレスポンダコンテナとして設定するように配置され、
前記リーダライタは前記リーダコンテナの電子タグを読み取り、前記製品識別情報を取得することで、前記指定領域内のコンテナの位置を特定する、
請求項２に記載のコンテナ測位システム。
【請求項４】
無線通信モジュールをさらに含み、
前記リーダライタは、前記無線通信モジュールを介して前記電子タグとデータインタラクションを行うように配置され、且つ前記リーダライタは、前記無線通信モジュールを介して、少なくとも１つの前記リーダコンテナをマスタリーダコンテナとして設定し、
前記マスタリーダコンテナ上の電子タグは、その他のリーダコンテナの電子タグが送信した製品識別情報を読み取って記憶するように配置され、
前記リーダライタは前記マスタリーダコンテナの電子タグに記憶された情報を読み取ることで、各コンテナの位置を特定し、前記情報は前記他のリーダコンテナの電子タグが送信した製品識別情報である、
請求項３に記載のコンテナ測位システム。
【請求項５】
前記電子タグは、読み書きモジュールと、レスポンスモジュールと、マスタプロセッサと、を含み、
前記マスタプロセッサは、シリアルポートを介して前記無線通信モジュールと、前記読み書きモジュールと、前記レスポンスモジュールと、にそれぞれ接続され、その入力端を前記電子タグの入力端とし、
前記読み書きモジュールは、前記情報取得信号を送信し、受信した前記製品識別情報を記憶するように配置され、
前記レスポンスモジュールは、前記情報取得信号を受信し、前記製品識別情報を送信するように配置される、
請求項４に記載のコンテナ測位システム。
【請求項６】
前記電子タグは、ソーラー給電モジュールと、蓄電池と、をさらに含み、
前記ソーラー給電モジュールの出力端は、前記蓄電池の入力端に接続され、前記蓄電池は、前記マスタプロセッサと、前記読み書きモジュールと、前記レスポンスモジュールと、へ給電し、
前記ソーラー給電モジュールは、太陽エネルギーを電気エネルギーに転換し、前記蓄電池に充電するように配置される、
請求項５に記載のコンテナ測位システム。
【請求項７】
前記ソーラー給電モジュールは、ソーラーバッテリーチップと、電源制御回路と、を含み、
前記電源制御回路の入力端は前記ソーラーバッテリーチップの出力端に接続され、前記電源制御回路の出力端を前記ソーラー給電モジュールの出力端とし、前記電源制御回路は、前記ソーラーバッテリーチップの電流集約と調圧出力を制御するように配置され、
前記ソーラーバッテリーチップは、太陽エネルギーを電気エネルギーに転換するように配置される、
請求項６に記載のコンテナ測位システム。
【請求項８】
前記読み書きモジュールは、第１のアンテナと、第２のアンテナと、第１の受送信モジュールと、第１のマイクロプロセッサと、を含み、
前記第１のマイクロプロセッサは、シリアルポートを介して前記第１の受送信モジュールに接続され、前記第１の受送信モジュールは、前記第１のアンテナを介して前記情報取得信号を送信し、前記第２のアンテナを介して前記製品識別情報を受信する、
請求項５〜７の何れか１項に記載のコンテナ測位システム。
【請求項９】
前記レスポンスモジュールは、第３のアンテナと、第４のアンテナと、第２の受送信モジュールと、第２のマイクロプロセッサと、を含み、
前記第２のマイクロプロセッサは、シリアルポートを介して前記第２の受送信モジュールに接続され、前記第２の受送信モジュールは、前記第３のアンテナを介して前記製品識別情報を送信し、前記第４のアンテナを介して前記情報取得信号を受信する、
請求項５〜８の何れか１項に記載のコンテナ測位システム。
【請求項１０】
前記検出モジュールは、電気量センサと、第３のマイクロプロセッサと、を含み、
前記第３のマイクロプロセッサの第１の入力端は前記電気量センサの出力端に接続され、前記電気量センサは、前記蓄電池の蓄電量を検出するように配置され、前記第３のマイクロプロセッサは、前記蓄電量が前記設定された電気量閾値より大きい時に、前記第1レベル信号を送信するように配置され、前記蓄電量が前記設定された電気量閾値以下の時に、前記第２レベル信号を送信するように配置される、
請求項７に記載のコンテナ測位システム。
【請求項１１】
前記検出モジュールは光センサをさらに含み、
前記光センサの出力端は前記第３のマイクロプロセッサの第２の入力端に接続され、前記光センサは、前記ソーラー給電モジュールが受けた太陽光強度を検出するように配置され、
前記光強度が、設定された強度閾値よりも大きい時に、前記第３のマイクロプロセッサは充電信号を前記電子タグへ送信することで、前記電源制御回路が前記蓄電池に充電するように誘起する、
請求項１０に記載のコンテナ測位システム。
【請求項１２】
前記電子タグは前記検出モジュールと一体に集積される、
請求項１〜７の何れか１項に記載のコンテナ測位システム。
【請求項１３】
積み重ねられたコンテナにそれぞれ電子タグを設置し、前記電子タグには、その電子タグが設置されたコンテナの測位情報が含まれた、前記コンテナの製品識別情報が記憶されることと、
前記電子タグの蓄電量を検出し、前記蓄電量が、設定された電気量閾値よりも大きい時に、前記電子タグへ第１レベル信号を送信することと、
前記第１レベル信号を受信した時に、前記電子タグが読み書き動作モードを起動し、指定領域内のその他の電子タグへ情報取得信号を送信することで、前記その他の電子タグに、それぞれが記憶した前記製品識別情報を前記電子タグへ送信させ、前記電子タグは、前記その他の電子タグが送信した製品識別情報を受信した後に、受信した前記製品識別情報を記憶することと、
前記電子タグに記憶された各製品識別情報を読み取ることで、前記指定領域内のコンテナの位置を特定することと、を含む
コンテナ測位方法。
【請求項１４】
前記蓄電量が前記設定された電気量閾値以下である時に、前記電子タグへ第２レベル信号を送信することと、
前記第２レベル信号を受信した時に、前記電子タグがレスポンス動作モードを起動することと、
前記レスポンス動作モードにおいて、情報取得信号を受信した後に、前記電子タグが前記製品識別情報を、前記情報取得信号を送信する電子タグへ送信することと、をさらに含む、
請求項１３に記載のコンテナ測位方法。
【請求項１５】
前記第１レベル信号を受信した時に、前記電子タグに対応するコンテナをリーダコンテナとして設定し、前記第２レベル信号を受信した時に、前記電子タグに対応するコンテナをレスポンダコンテナとして設定するステップと、
前記リーダコンテナの電子タグを読み取り、前記指定領域内のコンテナの位置を取得するステップと、をさらに含む、
請求項１４に記載のコンテナ測位方法。
【請求項１６】
その中の少なくとも１つの前記リーダコンテナをマスタリーダコンテナとし、前記マスタリーダコンテナ上の電子タグを、その他のリーダコンテナの電子タグが送信した製品識別情報を読み取って記憶するように配置するステップと、
前記マスタリーダコンテナの電子タグに記憶された、前記他のリーダコンテナの電子タグが送信した製品識別情報を読み取ることで、各コンテナの位置を特定するステップと、をさらに含む、
請求項１５に記載のコンテナ測位方法。
【請求項１７】
前記電子タグは太陽エネルギーによって給電される、
請求項１３〜１６の何れか１項に記載のコンテナ測位方法。
【請求項１８】
前記読み書き動作モードにおいて、前記電子タグは前記その他の電子タグが送信した製品識別情報を受信した後に、受信した前記製品識別情報の信号強度を確定し、受信した前記製品識別情報を記憶するとともに、前記信号強度を記憶する、
請求項１３〜１６の何れか１項に記載のコンテナ測位方法。
【請求項１９】
電子タグが、対応するコンテナに設置され、前記電子タグによりコンテナを測位する方法であって、
前記電子タグが設置されたコンテナの測位情報が含まれた、前記コンテナの製品識別情報を記憶するステップと、
前記電子タグの蓄電量が、設定された電気量閾値よりも大きいことを前記電子タグの検出モジュールが検出した時に、前記検出モジュールは前記電子タグへ第１レベル信号を送信し、前記電子タグが読み書き動作モードを起動するステップと、
前記読み書き動作モードにおいて、前記電子タグは指定領域内のその他の電子タグへ情報取得信号を送信し、前記その他の電子タグが送信した製品識別情報を受信した後に、受信した前記製品識別情報を記憶するステップと、
前記電子タグの蓄電量が前記設定された電気量閾値以下であることを前記電子タグの検出モジュールが検出した時に、前記検出モジュールは前記電子タグへ第２レベル信号を送信し、前記電子タグがレスポンス動作モードを起動するステップと、
前記レスポンス動作モードにおいて、前記電子タグは情報取得信号を受信した後に、それが対応するコンテナの製品識別情報を、前記情報取得信号を送信する電子タグへ送信するステップと、を含む、
電子タグによりコンテナを測位する方法。
【請求項２０】
前記電子タグが前記読み書き動作モードである時に、前記電子タグが、記憶された、その他の各電子タグが送信した製品識別情報をリーダライタに提供することで、前記リーダライタが前記製品識別情報に基づいて前記指定領域内のコンテナの位置を特定するステップをさらに含む、
請求項１９に記載の方法。
【請求項２１】
ソーラーバッテリーチップにより太陽エネルギーを電気エネルギーに転換し、前記電子タグに充電するステップをさらに含む、
請求項１９に記載の方法。
【請求項２２】
コンテナに設置された電子タグであって、前記電子タグは、
太陽エネルギーを電気エネルギーに転換して蓄電池へ出力するためのソーラー給電モジュールと、
前記ソーラー給電モジュールが出力した電気量を蓄えるための前記蓄電池と、
蓄電池の蓄電量を検出するためのものであり、前記蓄電量が、設定された電気量閾値よりも大きい時に、前記電子タグが読み書き動作モードを起動し、前記蓄電量が、設定された電気量閾値以下である時に、前記電子タグがレスポンス動作モードを起動する検出モジュールと、
前記電子タグが読み書き動作モードを起動した時に、指定領域内のその他の電子タグに情報取得信号を送信し、前記その他の電子タグが送信した製品識別情報を受信した後に、受信した前記製品識別情報を記憶するための読み書きモジュールと、
前記電子タグがレスポンス動作モードを起動した時、情報取得信号を受信した後に、対応するコンテナの製品識別情報を、前記情報取得信号を送信する電子タグへ送信するためのレスポンスモジュールと、を含む、
電子タグ。
【請求項２３】
前記読み書きモジュールは、記憶された、その他の各電子タグが送信した製品識別情報をリーダライタに提供することで、前記リーダライタが前記製品識別情報に基づいて前記指定領域内コンテナの位置を特定することにさらに用いられる、
請求項２２に記載の電子タグ。
【発明の詳細な説明】
【関連出願の相互参照】
【０００１】
本願は、２０１７年１２月１８日に中国国家知識産権局へ提出された中国特許出願Ｎｏ．  ２０１７１１３６７５９７．３の優先権を主張し、当該出願のすべての内容を参照により援用する。
【技術分野】
【０００２】
本願は太陽光発電の技術分野に関わり、特にコンテナ測位システム、コンテナ測位方法及び電子タグに関するものである。
【背景技術】
【０００３】
電子タグは無線自動識別（ＲＦＩＤ、Ｒａｄｉｏ  Ｆｒｅｑｕｅｎｃｙ  Ｉｄｅｎｔｉｆｉｃａｔｉｏｎ）技術に基づき、記号識別、物品追跡、情報収集の役割を果たすことができる。現在、ＲＦＩＤ電子タグはロジスティクスネットワークに幅広く用いられており、ＲＦＩＤ電子タグを測位することによって、目標物の測位を実現することもますます重要になっている。常用のＲＦＩＤ電子タグ測位方法は、電子タグリーダライタにより異なる周波数の無線自動信号を発し、電子タグリーダライタは、ＲＦＩＤ電子タグから返された無線自動信号の減衰度に基づいて当該ＲＦＩＤ電子タグと当該電子タグリーダライタとの距離を測定することで、ＲＦＩＤ電子タグがある位置範囲を特定するというものである。
【０００４】
しかし、ある特殊な応用場面では、リーダライタと測定された電子タグとの距離が長すぎるか、又は両者の間が障害物で遮られ、多大な労力又は費用を費やさなければデータインタラクションが実現できないという可能性がある。例えば、埠頭又は運搬船上のコンテナは、据え置き空間の制限によって、コンテナを積み重ねる必要があり、リーダライタが電子タグのデータを読み書きできなくなってしまう恐れがあるため、測位することができなくなってしまう。
【０００５】
このほか、従来のＲＦＩＤ電子タグをコンテナに用いる時、固定給電ネットワークから完全に抜けて独立して作動させることは困難であり、且つリーダライタのわずかな回数の読み取りだけで指定領域内のすべてのコンテナの位置を知ることは困難である。
【発明の内容】
【０００６】
本願の１つの態様では、電子タグと、リーダライタと、検出モジュールと、を含むコンテナ測位システムを提供する。前記電子タグはコンテナに設置され、その電子タグが配置されたコンテナの測位情報が含まれた、前記コンテナの製品識別情報を記憶するように配置される。前記検出モジュールは、前記電子タグの蓄電量を検出し、前記蓄電量が、設定された電気量閾値よりも大きい時に、前記電子タグへ第１レベル信号を送信するように配置される。前記電子タグは、前記第１レベル信号を受信した時に読み書き動作モードを起動し、指定領域内のその他の電子タグへ情報取得信号を送信することで、前記その他の電子タグに、それぞれが記憶した製品識別情報を前記電子タグへ送信するように配置され、前記電子タグは、前記その他の電子タグが送信した製品識別情報を受信した後に、受信した、前記その他の電子タグが送信した製品識別情報を記憶する。前記リーダライタは、前記電子タグに記憶された各製品識別情報を読み取ることで、指定領域内のコンテナの位置を特定するように配置される。
【０００７】
実施例において、前記検出モジュールは、前記電子タグの蓄電量が前記設定された電気量閾値以下であることを検出した時に、前記電子タグへ第２レベル信号を送信するように配置され、前記電子タグは、前記第２レベル信号を受信した時にレスポンス動作モードを起動し、前記レスポンス動作モードにおいて、その他の電子タグが送信した前記情報取得信号を受信した後に、前記製品識別情報を前記その他の電子タグへ送信するように配置される。
【０００８】
実施例において、前記電子タグは、前記第１レベル信号を受信した時に、前記電子タグに対応するコンテナをリーダコンテナとして設定し、前記第２レベル信号を受信した時に、前記電子タグに対応するコンテナをレスポンダコンテナとして設定するように配置される。前記リーダライタは前記リーダコンテナの電子タグを読み取り、前記製品識別情報を取得することで、前記指定領域内の各コンテナの位置を特定する。
【０００９】
実施例において、前記コンテナ測位システムは、無線通信モジュールをさらに含み、前記リーダライタは、前記無線通信モジュールを介して前記電子タグとデータインタラクションを行うように配置され、且つ前記リーダライタは、前記無線通信モジュールを介して、少なくとも１つの前記リーダコンテナをマスタリーダコンテナとして設定し、前記マスタリーダコンテナ上の電子タグは、その他のリーダコンテナの製品識別情報を読み取って記憶するように配置される。前記リーダライタは前記マスタリーダコンテナの電子タグに記憶された情報を読み取ることで、各コンテナの位置を特定し、前記情報は前記他のリーダコンテナの電子タグが送信した製品識別情報である。
【００１０】
実施例において、前記電子タグは、読み書きモジュールと、レスポンスモジュールと、マスタプロセッサと、を含む。前記マスタプロセッサは、シリアルポートを介して前記無線通信モジュールと、前記読み書きモジュールと、前記レスポンスモジュールと、にそれぞれ接続され、その入力端を前記電子タグの入力端とする。前記読み書きモジュールは、前記情報取得信号を送信し、受信した前記製品識別情報を記憶するように配置される。前記レスポンスモジュールは、前記情報取得信号を受信し、前記製品識別情報を送信するように配置される。
【００１１】
実施例において、前記電子タグは、ソーラー給電モジュールと、蓄電池と、をさらに含む。前記ソーラー給電モジュールの出力端は、前記蓄電池の入力端に接続され、前記蓄電池は、前記マスタプロセッサと、前記読み書きモジュールと、前記レスポンスモジュールと、へ給電する。前記ソーラー給電モジュールは、太陽エネルギーを電気エネルギーに転換し、前記蓄電池に充電するように配置される。
【００１２】
実施例において、前記ソーラー給電モジュールは、ソーラーバッテリーチップと、電源制御回路と、を含む。前記電源制御回路の入力端は前記ソーラーバッテリーチップの出力端に接続され、前記電源制御回路の出力端を前記ソーラー給電モジュールの出力端とし、前記電源制御回路は、前記ソーラーバッテリーチップの電流集約と調圧出力を制御するように配置される。前記ソーラーバッテリーチップは、太陽エネルギーを電気エネルギーに転換するように配置されて、前記蓄電池に充電する。
【００１３】
実施例において、前記読み書きモジュールは、第１のアンテナと、第２のアンテナと、第１の受送信モジュールと、第１のマイクロプロセッサと、を含む。前記第１のマイクロプロセッサは、シリアルポートを介して前記第１の受送信モジュールに接続され、前記第１の受送信モジュールは、前記第１のアンテナを介して前記情報取得信号を送信し、前記第２のアンテナを介して前記製品識別情報を受信する。
【００１４】
実施例において、前記レスポンスモジュールは、第３のアンテナと、第４のアンテナと、第２の受送信モジュールと、第２のマイクロプロセッサと、を含む。前記第２のマイクロプロセッサは、シリアルポートを介して前記第２の受送信モジュールに接続され、前記第２の受送信モジュールは、前記第３のアンテナを介して前記製品識別情報を送信し、前記第４のアンテナを介して前記情報取得信号を受信する。
【００１５】
実施例において、前記検出モジュールは、電気量センサと、第３のマイクロプロセッサと、を含む。前記第３のマイクロプロセッサの第１の入力端は前記電気量センサの出力端に接続され、前記電気量センサは、前記蓄電池の蓄電量を検出するように配置され、前記第３のマイクロプロセッサは、前記蓄電量が前記設定された電気量閾値より大きい時に、前記第1レベル信号を送信するように配置され、前記蓄電量が前記設定された電気量閾値以下の時に、前記第２レベル信号を送信するように配置される。
【００１６】
実施例において、前記検出モジュールは光センサをさらに含む。前記光センサの出力端は前記第３のマイクロプロセッサの第２の入力端に接続され、前記光センサは、前記ソーラー給電モジュールが受けた太陽光強度を検出するように配置される。前記光強度が、設定された強度閾値よりも大きい時に、前記第３のマイクロプロセッサは充電信号を前記電子タグへ送信することで、前記電源制御回路が前記蓄電池に充電するように誘起する。
【００１７】
実施例において、前記電子タグは前記検出モジュールと一体に集積される。
【００１８】
実施例では、前記読み書き動作モードにおいて、前記電子タグは前記その他の電子タグが送信した製品識別情報を受信した後に、受信した前記製品識別情報の信号強度を確定し、受信した前記製品識別情報を記憶するとともに、前記信号強度を記憶する。
【００１９】
実施例では、前記読み書き動作モードにおいて、前記電子タグは、それが前記情報取得信号を送信した時刻と、対応する製品識別情報を受信した時刻との間の時間間隔を測定し、受信した前記製品識別情報を記憶するとともに、前記時間間隔を記憶する。
【００２０】
実施例において、前記リーダライタは、前記電子タグに記憶された各製品識別情報及びその他の電子タグからの製品識別情報に対応する時間間隔及び／又は信号強度を読み取ることで、前記電子タグが設置されたコンテナと前記その他の電子タグが設置されたコンテナとの間の距離を確定するように配置される。
【００２１】
本願のもう１つの態様では、コンテナ測位方法を提供し、当該方法は、積み重ねられたコンテナにそれぞれ電子タグを設置し、前記電子タグには、その電子タグが設置されたコンテナの測位情報が含まれた、コンテナの製品識別情報が記憶されることと、検出モジュールにより前記電子タグの蓄電量を検出し、前記蓄電量が、設定された電気量閾値よりも大きい時に、前記検出モジュールは前記電子タグへ第１レベル信号を送信し、前記蓄電量が前記設定された電気量閾値以下である時に、前記検出モジュールは前記電子タグへ第２レベル信号を送信することと、前記第１レベル信号を受信した時に、前記電子タグが読み書き動作モードを起動し、指定領域内のその他の電子タグへ情報取得信号を送信することで、前記その他の電子タグに、それぞれが記憶した前記製品識別情報を前記電子タグへ送信させることと、前記電子タグは前記その他の電子タグが送信した製品識別情報を受信した後に、受信した前記製品識別情報を記憶することと、前記電子タグに記憶された各製品識別情報を読み取ることで、前記指定領域内のコンテナの位置を特定することと、を含む。
【００２２】
実施例において、前記コンテナ測位方法は、前記第２レベル信号を受信した時に、前記電子タグがレスポンス動作モードを起動することと、前記レスポンス動作モードにおいて、情報取得信号を受信した後に、前記電子タグが前記製品識別情報を、前記情報取得信号を送信する電子タグへ送信することと、をさらに含む。
【００２３】
実施例において、前記コンテナ測位方法は、前記第１レベル信号を受信した時に、前記電子タグに対応するコンテナをリーダコンテナとして設定し、前記第２レベル信号を受信した時に、前記電子タグに対応するコンテナをレスポンダコンテナとして設置するステップと、前記リーダコンテナの電子タグを読み取り、前記指定領域内のコンテナの位置を取得するステップと、をさらに含む。
【００２４】
実施例において、前記コンテナ測位方法は、その中の少なくとも１つの前記リーダコンテナをマスタリーダコンテナとし、前記マスタリーダコンテナ上の電子タグを、その他のリーダコンテナの電子タグが送信した製品識別情報を読み取って記憶するように配置するステップと、前記マスタリーダコンテナに記憶された、前記リーダコンテナの電子タグが送信した製品識別情報を読み取ることで、各コンテナの位置を特定するステップと、をさらに含む。
【００２５】
実施例において、前記電子タグは太陽エネルギーによって給電される。
【００２６】
実施例では、前記読み書き動作モードにおいて、前記電子タグは前記その他の電子タグが送信した製品識別情報を受信した後に、受信した前記製品識別情報の信号強度を確定し、受信した前記製品識別情報を記憶するとともに、前記信号強度を記憶する。
【００２７】
実施例では、前記読み書き動作モードにおいて、前記電子タグは、それが前記情報取得信号を送信した時刻と、対応する製品識別情報を受信した時刻との間の時間間隔を測定し、受信した前記製品識別情報を記憶するとともに、前記時間間隔を記憶する。
【００２８】
実施例において、前記電子タグに記憶された各製品識別情報を読み取ることで、前記指定領域内のコンテナの位置を確定する前記ステップは、前記電子タグに記憶された各製品識別情報及びその他の電子タグからの製品識別情報に対応する時間間隔及び／又は信号強度を読み取ることで、前記電子タグが設置されたコンテナと前記その他の電子タグが設置されたコンテナとの間の距離を確定することを含む。
【００２９】
本願のもう１つの態様では、前記電子タグが、対応するコンテナに設置され、電子タグによりコンテナを測位する方法を提供し、前記方法は、前記電子タグが設置されたコンテナの測位情報が含まれた、前記コンテナの製品識別情報を記憶するステップと、前記電子タグの蓄電量が、設定された電気量閾値よりも大きいことを前記電子タグの検出モジュールが検出した時に、前記検出モジュールは前記電子タグへ第１レベル信号を送信し、前記電子タグが読み書き動作モードを起動して、前記読み書き動作モードにおいて、前記電子タグは指定領域内のその他の電子タグへ情報取得信号を送信し、前記その他の電子タグが送信した製品識別情報を受信した後に、受信した前記製品識別情報を記憶するステップと、前記電子タグの蓄電量が前記設定された電気量閾値以下であることを前記電子タグの検出モジュールが検出した時に、前記検出モジュールは前記電子タグへ第２レベル信号を送信し、前記電子タグがレスポンス動作モードを起動して、前記レスポンス動作モードにおいて、前記電子タグは情報取得信号を受信した後に、それが対応するコンテナの製品識別情報を、前記情報取得信号を送信する電子タグへ送信するステップと、を含む。
【００３０】
実施例において、前記コンテナ測位方法は、前記電子タグが前記読み書き動作モードである時に、前記電子タグが、記憶された、その他の各電子タグが送信した製品識別情報をリーダライタに提供することで、前記リーダライタが前記製品識別情報に基づいて前記指定領域内のコンテナの位置を特定するステップをさらに含む。
【００３１】
実施例において、前記コンテナ測位方法は、ソーラーバッテリーチップにより太陽エネルギーを電気エネルギーに転換し、前記電子タグに充電するステップをさらに含む。
【００３２】
本願のもう１つの態様では、コンテナに設置された電子タグであって、太陽エネルギーを電気エネルギーに転換して蓄電池へ出力するように設置されるソーラー給電モジュールと、前記ソーラー給電モジュールが出力した電気量（電気エネルギー）を蓄えるように配置された前記蓄電池と、前記蓄電池の蓄電量を検出するように配置され、前記蓄電量が、設定された電気量閾値よりも大きい時に、前記電子タグが書き込み動作モードを起動し、前記蓄電量が、設定された電気量閾値以下である時に、前記電子タグがレスポンス動作モードを起動する、検出モジュールと、前記電子タグが読み書き動作モードを起動した時に、指定領域内のその他の電子タグへ情報取得信号を送信し、前記その他の電子タグが送信した製品識別情報を受信した後に、受信した前記製品識別情報を記憶するように配置される読み書きモジュールと、前記電子タグがレスポンス動作モードを起動した時、情報取得信号を受信した後に、その電子タグが対応するコンテナの製品識別情報を、前記情報取得信号を送信する電子タグへ送信するように配置されるレスポンスモジュールと、を含む電子タグを提供する。
【００３３】
実施例では、前記電子タグにおいて、前記読み書きモジュールは、記憶された、その他の各電子タグが送信した製品識別情報をリーダライタに提供することで、前記リーダライタが前記製品識別情報に基づいて前記指定領域内コンテナの位置を特定するように配置される。
【００３４】
従来のリーダライタは、積み重ねられたコンテナ上の電子タグに対してデータの読み書きを行う時に、距離が長過ぎるか又は障害物で遮られることにより、データの読み書きが成功しないという状況が起こりやすいという課題を解決するために、本願では、コンテナ測位システム、コンテナ測位方法及び電子タグを提供し、電子タグの蓄電量によって電子タグの読み書き動作モード又はレスポンス動作モードを決定して、電子タグが指定領域内の電子タグに記憶された製品識別情報を読み書きできるようにし、レスポンダとリーダを区別しないという機器配置方式を実現しており、電子タグの知能性と実用性を向上させ、コンテナ情報管理の作業効率を高め、貨物置場の配置をより柔軟且つ簡単にし、人的コストを低減している。
【図面の簡単な説明】
【００３５】
本願の具体的な実施例をより明瞭に説明するために、以下では、実施例において使用される図面について簡単に説明する。
【図１】図１は本願が提供するコンテナ測位システムの構造概念図である。
【図２】図２は本願が提供するコンテナ測位システムの作動概念図である。
【図３】図３は本願の実施例が提供する電子タグの構造概念図である。
【図４】図４は本願が提供するコンテナ測位方法のフローチャート図である。
【図５】図５は本願の実施例が提供するもう１つの電子タグの構造概念図である。
【具体的な実施の形態】
【００３６】
当業者が本願の実施例の技術案をよりよく理解できるように、以下では図面を組み合わせて本願の実施例についてさらに詳細に説明する。
【００３７】
関連技術におけるリーダライタは、積み重ねられたコンテナ上の電子タグに対してデータの読み書きを行う時に、距離が長過ぎるか又は障害物で遮られることにより、データの読み書きが成功しないという状況が起こりやすく、従来のＲＦＩＤ電子タグをコンテナに用いる時、固定給電ネットワークを完全に抜けて独立して作動させることは困難であり、且つリーダライタのわずかな回数の読み取りだけで指定領域内のすべてのコンテナの位置を知ることは困難であるなどの課題がある。本願は、電子タグの蓄電量に基づいて電子タグの読み書き動作モード又はレスポンス動作モードを起動することで、電子タグが、指定領域内のその他の電子タグに記憶された製品識別情報を読み取ることができるコンテナ測位システム、コンテナ測位方法及び電子タグを提供する。
【００３８】
図１と図２に示すように、本実施例のコンテナ測位システムは、電子タグ１０と、リーダライタ３０と、検出モジュール２０と、を含む。前記電子タグ１０は対応するコンテナ１〜９に設置され、それが設置されたコンテナの製品識別情報を記憶するように配置される。前記検出モジュール２０は、前記電子タグ１０の蓄電量を検出するように配置され、前記蓄電量が、設定された電気量閾値よりも大きい時に、前記検出モジュール２０は前記電子タグ１０へ第１レベル信号を送信する。前記電子タグ１０は前記第１レベル信号を受信した時に読み書き動作モードを起動し、指定領域内のその他の電子タグへ情報取得信号を送信し、前記その他の電子タグは前記情報取得信号に応じて、それぞれが記憶した製品識別情報を前記電子タグ１０へ送信し、前記電子タグ１０は前記その他の電子タグが送信した製品識別情報を受信した後に、受信した前記製品識別情報を記憶する。前記リーダライタ３０は前記電子タグ１０に記憶された各製品識別情報を読み取ることで、前記指定領域内のコンテナの位置を特定する。
【００３９】
本願における製品識別情報は、電子タグのＩＤ番号（つまり、電子タグが設置されたコンテナのＩＤ番号を表す）と、電子タグが設置されたコンテナの位置を表す測位情報及び電子タグが設置されたコンテナの拡張されたデータ情報（例えば、温度、湿度、コンテナ内物品のパラメータなど）を含む。前記コンテナ位置の測位情報は、前記コンテナとその近傍、又は近くのその他のコンテナの関連位置情報、もしくはＧＰＳ情報などといったコンテナ位置を体現する情報である。
【００４０】
実施例において、前記検出モジュール２０と電子タグ１０は、前記検出モジュール２０によって検出された前記電子タグ１０の蓄電量が前記設定された電気量閾値以下の時に、前記検出モジュール２０が前記電子タグ１０へ第２レベル信号を送信し、前記第２レベル信号を受信した時に、前記電子タグ１０がレスポンス動作モードを起動し、前記レスポンス動作モードにおいて、前記電子タグ１０が、その他の電子タグが送信した前記情報取得信号を受信した後に、前記製品識別情報を前記その他の電子タグへ送信する、ように配置される。
【００４１】
実際の応用において、電子タグ１０は第１の無線自動信号を情報取得信号とし、第２の無線自動信号により製品識別情報を送信することができる。電子タグ１０は読み書き動作モード起動時に第１の無線自動信号を送信し、その他の電子タグは当該第１の無線自動信号を受信した後に、製品識別情報が付帯された第２の無線自動信号を送信し、前記電子タグ１０は前記第２の無線自動信号を受信した後に、そこに付帯された製品識別情報を読み取って記憶する。第１の無線自動信号と第２の無線自動信号は異なる周波数の電磁波であってもよい。
【００４２】
なお、前記電子タグ１０は読み書き動作モードを起動する時に、リーダとすることができ、レスポンスモードを起動する時に、レスポンダとすることができる。前記電子タグ１０は情報取得信号受信時に、記憶された製品識別情報に基づいて電子コード又はセクションデータを生成して送信する。リーダライタ３０又はリーダは、前記電子コード又はセクションデータを受信した後に、デコードにより前記製品識別情報を得る。
【００４３】
実施例において、前記電子タグ１０は読み書き動作モードを起動する時に、リーダとすることができ、レスポンダとすることもできるが（リーダとして、その他の電子タグが送信した情報取得信号に応答して、それが設置されたコンテナの製品識別情報を送信する）、前記電子タグ１０がレスポンス動作モードを起動した時にはレスポンダとすることしかできず、リーダとすることはできない。
【００４４】
もう１つの実施例において、前記電子タグ１０は、読み書き動作モードを起動する時にリーダとすることしかできずレスポンダとすることはできない。また、レスポンス動作モード起動時には、レスポンダとすることしかできず、リーダとすることはできない。
【００４５】
実施例において、前記電子タグ１０は前記検出モジュール２０と一体に集積される。このような状況において、前記検出モジュール２０は、例えば、前記電子タグ１０によって給電することができる。
【００４６】
実施例において、前記指定領域は前記電子タグ１０の読み取り範囲に対応する領域である。
【００４７】
実施例において、前記製品識別情報は、対応するコンテナの所在位置（即ち、対応する電子タグの所在位置）を表す測位情報を含む。前記リーダライタ３０は、前記電子タグ１０に記憶された、前記その他の電子タグからの製品識別情報を読み取ることで、前記その他の電子タグが設置されたコンテナの位置を特定できる。
【００４８】
もう１つの実施例において、前記電子タグ１０はその他の電子タグが送信した製品識別情報を受信した時、受信した製品識別情報の信号強度を確定し、その後、当該製品識別情報と当該信号強度を記憶する。従って、前記リーダライタ３０は、前記電子タグ１０に記憶された、前記その他の電子タグからの製品識別情報と当該製品識別情報の信号強度を読み取ることで、前記電子タグ１０と前記その他の電子タグとの距離を特定し、さらには前記その他の電子タグが設置されたコンテナの位置を間接的に特定することができる。
【００４９】
実施例において、前記コンテナ測位システムは、前記その他の電子タグを含み、且つコンテナ測位システムにおける各電子タグには検出モジュールが各自配置される。
【００５０】
実施例において、前記検出モジュールは、前記電子タグの蓄電量を定期的に検出するように配置され、これにより、前記電子タグに前記第１レベル信号又は前記第２レベル信号を定期的に送信することができる。
【００５１】
実施例において、前記電子タグ１０は、前記第１レベル信号を受信した時に、前記電子タグに対応するコンテナをリーダコンテナ７〜９として設定し、前記第２レベル信号を受信した時に、前記電子タグに対応するコンテナをレスポンダコンテナ１〜６として設定するように配置される。前記リーダライタ３０は、前記リーダコンテナ７〜９の電子タグ１０を読み取ることで、指定領域内の各コンテナの位置を取得する。
【００５２】
実施例において、前記リーダコンテナ７〜９上の電子タグは前記情報取得信号を送信し、指定領域内のレスポンダコンテナ１〜６の電子タグが情報取得信号を受信した後に、それぞれが記憶した製品識別情報を送信する。前記リーダコンテナ７〜９の電子タグは、レスポンダコンテナ１〜６の電子タグが送信した製品識別情報を受信した後に、前記製品識別情報を記憶する。
【００５３】
実施例において、当該コンテナ測位システムは、無線通信モジュール４０をさらに含んでもよい。前記リーダライタ３０は、前記無線通信モジュール４０により前記電子タグ１０とデータインタラクションを行うように配置され、前記リーダライタ３０は前記無線通信モジュール４０により、少なくとも１つの前記リーダコンテナをマスタリーダコンテナ９として設定する。前記マスタリーダコンテナ９上の前記電子タグはその他のリーダコンテナ７、８の電子タグが送信した製品識別情報を読み取って記憶するように配置される。前記リーダライタ３０は、前記マスタリーダコンテナ９の電子タグに記憶された、前記リーダコンテナ７、８の電子タグが送信した製品識別情報を読み取ることで、各コンテナの位置を特定する。
【００５４】
実施例では、例えば、電子タグが設置された複数のコンテナが積み重ねられると、自動的に又は受動的に無線自動通信ネットワークが構成される。集積の外側に位置する、光が当たる一部のコンテナにおいて、電子タグの蓄電量が、設定された電気量閾値より大きい時に、当該電子タグは自動的にリーダとなり、当該コンテナがリーダコンテナになることで、その他のコンテナを読み取って自動的に識別するという機能を果たす。集積の内側に位置し、光があまり当たらない、又は光が当たらないコンテナの電子タグは自動的にレスポンダとなり、リーダによる識別と調査に受動的に応答し、これらコンテナはレスポンダコンテナとなる。操作員は、電子タグのマン−マシン操作回路又は上位機ソフトウェアが取り付けられたリーダライタ又は移動端末を介して、１つのリーダコンテナをマスタリーダコンテナとして設定することができる。この時、マスタリーダコンテナは、その他のリーダコンテナによって計算された各レスポンダコンテナの応答動作の時間周期（即ち、リーダコンテナが情報取得信号を送信した時刻と製品識別情報を受信した時刻との時間間隔）を収集し、当該時間周期に基づいてレスポンダコンテナとリーダコンテナの距離を算出し、これによりすべてのコンテナの相対位置を計算する。当該無線通信モジュールにより、各コンテナの拡張されたデータ情報（例えば、温度、湿度などの本コンテナ内の拡張設備の報知データ）を収集することもできる。リーダライタはマスタリーダコンテナの電子タグを読み取るだけで、その他のコンテナの製品識別情報を得ることができる。なお、製品識別情報は、製品識別情報に対応するコンテナの所在位置を表す測位情報を含む。
【００５５】
もう１つの実施例において、例えば、マスタリーダコンテナ９を除いたその他のリーダコンテナ７、８上の電子タグは、マスタリーダコンテナ９の電子タグが送信した情報取得信号を受信した時、それが設置されたコンテナの製品識別情報、及び自ら記憶した、その他の電子タグが送信した製品識別情報及びそれに対応する信号強度（又は当該信号強度によって確定された、前記その他の電子タグとの間の距離）をマスタリーダコンテナ９の電子タグへ送信する。
【００５６】
実際の応用において、コンテナの位置確認は、三角測量を用いることができる。言い換えれば、何れかの１つのコンテナの位置確認は、少なくとも３つのリーダを用いて、前記コンテナに対応するレスポンダに対して距離確認を行い、それぞれ３つのリーダコンテナの位置を中心とし、レスポンダコンテナとの距離を半径とし、その３つの円（又は球体）の交差点が当該レスポンダコンテナの位置である。上述の通り、リーダコンテナとレスポンダコンテナとの間の距離は、リーダコンテナ上の電子タグが情報取得信号を送信した時刻と、対応する製品識別情報を受信した時刻との間の時間間隔を測定すること、及び／又はリーダコンテナが受信したレスポンダコンテナからの信号強度を測量することで確定できる。
【００５７】
リーダライタ３０とリーダ又はレスポンダとの距離が近い場合、リーダライタ３０は信号を介してリーダ又はレスポンダの製品識別情報を直接読み書きすることができ、勿論、無線通信モジュール４０を介して読み書きすることもできるという点に注意されたい。
【００５８】
このほか、実施例において、リーダライタ３０によって読み取られた電子タグが、レスポンス動作モードを起動した電子タグ、即ち、レスポンダコンテナの電子タグである場合、充電機器又はリーダライタ３０自体により電子タグに一時的に給電又は充電することで、当該電子タグは、読み書き動作モードを起動でき、リーダータグとして情報取得信号を送信して、指定領域内のその他の電子タグの製品識別情報を取得する。
【００５９】
実施例において、図３に示すように、前記電子タグは、読み書きモジュール２００と、レスポンスモジュール３００と、マスタプロセッサ５００と、を含んでもよい。前記マスタプロセッサ５００は、シリアルポートを介して前記無線通信モジュール（図３では図示しない）と、前記読み書きモジュール２００と、前記レスポンスモジュール３００と、にそれぞれ接続することができ、前記マスタプロセッサ５００の入力端は前記電子タグ１０の入力端である。前記読み書きモジュール２００は、情報取得信号を送信して、受信した製品識別情報を記憶するように配置され、前記レスポンスモジュール３００は、前記情報取得信号を受信して、前記製品識別情報を送信するように配置される。
【００６０】
さらに、前記電子タグ１０は、ソーラー給電モジュール１００と蓄電池４００と、を含んでもよい。前記ソーラー給電モジュール１００の出力端は、前記蓄電池４００の入力端に接続され、前記蓄電池４００は、前記マスタプロセッサ５００と、前記読み書きモジュール２００と、前記レスポンスモジュール３００に給電する。前記ソーラー給電モジュール１００は、太陽エネルギーを電気エネルギーに転換し、前記蓄電池４００に充電するように配置される。実施の応用において、蓄電池４００はリチウム電池を用いることができる。
【００６１】
また、ソーラー給電モジュール１００は、ソーラーバッテリーチップ１０２と電源制御回路１０１をさらに含んでもよい。前記電源制御回路１０１の入力端子は前記ソーラーバッテリーチップ１０２の出力端に接続され、前記電源制御回路１０１の出力端は前記ソーラー給電モジュール１００の出力端であり、前記電源制御回路１０１は、前記ソーラーバッテリーチップ１０２の電流集約と調圧出力を制御するように配置され、前記ソーラーバッテリーチップ１０２は太陽エネルギーを電気エネルギーに転換するように配置される。
【００６２】
実際の応用において、電源制御回路１０１は、最大電力の追跡回路、ＤＣＤＣ調圧回路設計を用いて、不安定な太陽光発電を５Ｖ、１２Ｖなどの安定した直流電源に転換して、電気設備の使用に供給することができる。太陽光発電に余剰がある時、エネルギーを電池内に貯蔵する。また、電源制御回路１０１は、電圧電源検出機能、電源出力導通制御機能、及び通信機能を有するように設計することができ、電池のエネルギーが所定値まで消耗されるか、又は回路制御指令を受信した時に、給電を導通又は遮断することができる。
【００６３】
当該コンテナ測位システムは、充電制御モジュール（図示しない）をさらに含んでもよい。前記充電制御モジュールの入力端は前記蓄電池４００の出力端に接続され、前記充電制御モジュールの出力端は前記ソーラー給電モジュール１００の制御端に接続される。前記充電制御モジュールは電気量検出モジュールを含んでもよく、前記電気量検出モジュールは、前記蓄電池４００の電気量を検出するように配置される。前記蓄電池４００の電気量が前記設定された電気量閾値以下である時に、前記充電制御モジュールは、前記ソーラー給電モジュール１００が前記蓄電池に充電するように制御する。
【００６４】
図３に示すように、前記読み書きモジュール２００は第１のアンテナ２０３と、第２のアンテナ２０４と、第１の受送信モジュール２０２と、第１のマイクロプロセッサ２０１と、を含んでもよい。前記第１のマイクロプロセッサ２０１はシリアルポートを介して前記第１の受送信モジュール２０２に接続され、前記第１の受送信モジュール２０２は前記第１のアンテナ２０３を介して情報取得信号を送信し、前記第２のアンテナ２０４を介して製品識別情報を受信する。
【００６５】
前記レスポンスモジュールは、第３のアンテナ３０３と、第４のアンテナ３０４と、第２の受送信モジュール３０２と、第２のマイクロプロセッサ３０１と、を含んでもよい。前記第２のマイクロプロセッサ３０１はシリアルポートを介して前記第２の受送信モジュール３０２に接続され、前記第２の受送信モジュール３０２は前記第３のアンテナ３０３を介して製品識別情報を送信し、前記第４のアンテナを介して情報取得信号を受信する。
【００６６】
実際の応用において、前記読み書きモジュールと前記レスポンスモジュールは、無線自動識別技術を用いて、異なる周波数の無線自動信号により情報取得信号と製品識別情報の送信又は受信を実現することができる。
【００６７】
実施例において、前記検出モジュール２０は、電気量センサと第３のマイクロプロセッサ（図示しない）を含んでもよい。前記第３のマイクロプロセッサの第１の入力端は前記電気量センサの出力端に接続され、前記電気量センサは、前記蓄電池の蓄電量を検出するように配置され、前記第３のマイクロプロセッサは、前記蓄電量が前記設定された電気量閾値よりも大きい時に、前記第１レベル信号を送信し、前記蓄電量が前記設定された電気量閾値以下（例えば、前記設定された電気量閾値未満）である時に、前記第２レベル信号を送信するように配置される。
【００６８】
実施例において、前記検出モジュール２０は光センサ（図示しない）をさらに含んでもよい。前記光センサの出力端は前記第３のマイクロプロセッサの第２の入力端に接続され、前記光センサは、前記ソーラー給電モジュール１００が受けた太陽光強度を検出するように配置される。前記光強度が、設定された強度閾値よりも強い時に、前記第３のマイクロプロセッサは充電信号を前記電子タグ１０へ送信して前記電源制御回路１０１の前記蓄電池４００への充電を誘起するように配置される。
【００６９】
実際の応用において、当該コンテナ測位システムはインターフェイスモジュールとマン−マシンインタラクションモジュール（図示しない）をさらに含んでもよい。前記インターフェイスモジュールはシリアルポートを介して前記マスタプロセッサ５００に接続され、外部データ入出力のインターフェイスとすることができ、例えば、温度センサ、湿度センサ、ＧＰＳ測位チップにより外部データを取得する。前記マン−マシンインタラクションモジュールは前記インターフェイスモジュールを介して前記マスタプロセッサ５００に接続され、前記製品識別情報を表示するか、又は読み書きの操作を行うように配置され、操作員のリモートマン−マシンインタラクション又は上位機監視を実現できる。
【００７０】
従って、本願はコンテナ測位システムを提供し、当該システムは、電子タグの蓄電量に基づいて電子タグの読み書き動作モード又はレスポンス動作モードを起動することで、電子タグが指定領域内のその他の電子タグに記憶された製品識別情報を読み取ることができる。当該コンテナ測位システムにより、ユーザは読み取りやすい電子タグを介して指定領域内のその他のタグの情報を取得でき、リーダライタは、積み重ねられたコンテナ上の電子タグに対してデータの読み書きを行う時に、距離が長過ぎるか又は障害物で遮られることにより、データの読み書きが成功しない状況が起こりやすいという課題を解決し、レスポンダとリーダを区別しない機器配置方式を実現しており、電子タグの知能性と実用性を向上させ、コンテナ情報管理の作業効率を高め、貨物置場の配置をより柔軟且つ簡単にし、人的コストを低減している。一方、電子タグが太陽エネルギーによりエネルギー供給される時、所在位置などの理由によって、一部の電子タグには十分に光が照射され、蓄電量（残余電気量）が大きいが、ほかの電子タグは光の照射が少ない（又は光が当たらない）ため、蓄電量（残余電気量）が小さいという状況において、当該コンテナ測位システムは、蓄電量が小さい時の電子タグの電気量消費をできるだけ低減でき、システムの長時間の安定した動作を保証でき、且つ確実に固定給電ネットワークから抜けて独立して動作することができる。
【００７１】
このほか、本願は電子タグをさらに提供し、前記電子タグは上記に記載のコンテナ測位システムで使用する電子タグ１０である。電子タグ１０はコンテナ上に設置され、上記の検出モジュール２０と、無線通信モジュール４０と、リーダライタ３０と、組み合わせることができる。
【００７２】
図４に示すように、本願はコンテナ測位方法をさらに提供し、当該方法は以下のステップを含む。
【００７３】
Ｓ１：積み重ねられたコンテナにそれぞれ電子タグを設置し、前記電子タグには、その電子タグが設置されたコンテナの製品識別情報が記憶される。
【００７４】
Ｓ２：前記電子タグの蓄電量を検出し、前記蓄電量が、設定された電気量閾値よりも大きい時に、前記電子タグへ第１レベル信号を送信し、前記蓄電量が前記設定された電気量閾値以下である時に、前記電子タグへ第２レベル信号を送信する。このステップは検出モジュールによって実施することができる。
【００７５】
Ｓ３：前記第１レベル信号を受信した時に、前記電子タグは書き込み動作モードを起動し、指定領域内のその他の電子タグへ情報取得信号を送信することで、前記その他の電子タグに、それぞれが記憶した製品識別情報を前記電子タグへ送信させ、前記電子タグは前記その他の電子タグが送信した製品識別情報を受信した後に、受信した前記製品識別情報を記憶する。
【００７６】
Ｓ４：前記電子タグに記憶された各製品識別情報を読み取ることで、前記指定領域内のコンテナの位置を特定する。このステップはリーダライタによって実施することができる。
【００７７】
実施例において、前記方法は、
Ｓ５：前記第２レベル信号を受信した時に、前記電子タグがレスポンス動作モードを起動し、その他の電子タグが送信した前記情報取得信号を受信した後に、前記電子タグは前記製品識別情報を前記その他の電子タグへ送信する。
【００７８】
さらに、実施例において、前記方法は以下のステップをさらに含んでもよい。
【００７９】
Ｓ６：前記第１レベル信号を受信した時に、前記電子タグに対応するコンテナをリーダコンテナとして設定し、前記第２レベル信号を受信した時に、前記電子タグに対応するコンテナをレスポンダコンテナとして設置する。
【００８０】
Ｓ７：前記リーダコンテナの電子タグを読み書きすることで、前記指定領域内のコンテナの位置を取得する。
【００８１】
また、実施例において、前記方法は以下のステップをさらに含んでもよい。
【００８２】
Ｓ８：その中の少なくとも１つの前記リーダコンテナをマスタリーダコンテナとし、前記マスタリーダコンテナ上の電子タグは、その他のリーダコンテナの電子タグが送信した製品識別情報を読み取って記憶するように配置される。
【００８３】
Ｓ９：前記マスタリーダコンテナの電子タグに記憶された、前記他のリーダコンテナの電子タグが送信した製品識別情報を読み取ることで、各コンテナの位置を特定する。
【００８４】
異なる実施例におけるステップは、同時に実行及び／又は互いに置き換えることができる。例えば、上記ステップＳ３とＳ６は同時に実行することができる。ステップＳ３とＳ６を実行した場合、ステップＳ７をステップＳ４の代わりとすることができる。
【００８５】
このほか、本願の実施例は検出モジュールが集積された電子タグ１０’をさらに提供する。図５は当該電子タグ１０’の構造概念図である。図５に示すように、当該実施例に基づく電子タグ１０’はソーラー給電モジュール１００’と、蓄電池４００’と、検出モジュール２０’と、読み書きモジュール２００’と、レスポンスモジュール３００’と、を含む。そのうち、ソーラー給電モジュール１００’は太陽エネルギーを電気エネルギーに転換して蓄電池４００’に出力するように配置され、蓄電池４００’はソーラー給電モジュール１００’が出力した電気量（電気エネルギー）を蓄えるように配置され、検出モジュール２０’は蓄電池４００’の蓄電量を検出するように配置され、蓄電量が、設定された電気量閾値よりも大きい時に、電子タグ１０’は読み書き動作モードを起動し、蓄電量が、設定された電気量閾値以下である時に、電子タグ１０’はレスポンス動作モードを起動し、読み書きモジュール２００’は電子タグ１０’が読み書き動作モードを起動した時に、指定領域内のその他の電子タグへ情報取得信号を送信し、その他の電子タグが送信した製品識別情報を受信した後に、受信した製品識別情報を記憶するように配置され、レスポンスモジュール３００’は電子タグ１０’がレスポンス動作モードを起動した時、情報取得信号を受信した後に、電子タグ１０’に対応するコンテナの製品識別情報を、当該情報取得信号を送信する電子タグへ送信するように配置される。
【００８６】
実施例において、読み書きモジュール２００’は、記憶した、その他の各電子タグが送信した製品識別情報をリーダライタ３０に提供し、リーダライタ３０はこれら製品識別情報に基づいて指定領域内のコンテナの位置を特定するように配置される。
【００８７】
本実施例におけるソーラー給電モジュール１００’と、蓄電池４００’と、読み書きモジュール２００’と、レスポンスモジュール３００’は図３の実施例におけるソーラー給電モジュール１００と、蓄電池４００と、読み書きモジュール２００と、レスポンスモジュール３００と近似するか又は同一の構造もしくは機能をそれぞれ有することができると理解すべきである。
【００８８】
これに応じて、本願は電子タグ１０’によりコンテナを測位する方法をさらに提供し、前記電子タグ１０’は対応するコンテナに設置され、前記方法は、
前記電子タグ１０’にそれが設置されたコンテナの測位情報を含む、コンテナの製品識別情報を記憶させることと、前記電子タグ１０’の蓄電量が、設定された電気量閾値よりも大きいことを前記電子タグ１０’の検出モジュール２０’が検出した時に、前記検出モジュール２０’は前記電子タグ１０’へ第１レベル信号を送信し、前記電子タグ１０’は書き込み動作モードを起動し、前記書き込み動作モードにおいて、前記電子タグ１０’は指定領域内のその他の電子タグへ情報取得信号を送信し、前記その他の電子タグが送信した製品識別情報を受信した後に、受信した前記製品識別情報を記憶することと、前記電子タグ１０’の蓄電量が前記設定された電気量閾値以下であることを前記電子タグ１０’の検出モジュール２０’が検出した時に、前記検出モジュール２０’は前記電子タグ１０’へ第２レベル信号を送信し、前記電子タグ１０’はレスポンス動作モードを起動し、前記レスポンス動作モードにおいて、前記電子タグ１０’は情報取得信号を受信した後に、それが対応するコンテナの製品識別情報を、前記情報取得信号を送信する電子タグへ送信することと、を含む。
【００８９】
実施例において、前記コンテナ測位方法は、前記電子タグ１０’が前記読み書き動作モードである時に、前記電子タグ１０’は、記憶したその他の各電子タグが送信した製品識別情報をリーダライタ３０に提供することで、前記リーダライタ３０が前記製品識別情報に基づいて前記指定領域内のコンテナの位置を特定することをさらに含む。
【００９０】
実施例において、前記コンテナ測位方法は、ソーラーバッテリーチップを介して太陽エネルギーを電気エネルギーに転換して前記電子タグ１０’に受電するステップをさらに含む。
【００９１】
従って、本願はコンテナ測位方法を提供し、当該方法は、電子タグの蓄電量に基づいて電子タグの読み書き動作モード又はレスポンス動作モードを起動し、電子タグが、指定領域内のその他の電子タグに記憶された製品識別情報を読み取るようにする。当該方法は、関連技術における、積み重ねられたコンテナ上の電子タグに対してデータの読み書きを行う時に、距離が長過ぎるか又は障害物で遮られることより、データの読み書きが成功しないという状況が起こりやすいという課題を解決し、レスポンダとリーダを区別しないという機器配置方式を実現しており、電子タグの知能性と実用性を向上させ、コンテナ情報管理の作業効率を高め、貨物置場の配置をより柔軟且つ簡単にし、人的コストを低減している。一方、電子タグが太陽エネルギーによりエネルギー供給される時、所在位置などの理由によって、一部の電子タグには十分に光が照射され、蓄電量（残余電気量）が大きいが、ほかの電子タグは光の照射が少なく（又は光が当たらない）ため、蓄電量（残余電気量）が小さいという状況において、当該方法は、蓄電量が小さい時の電子タグの電気量消費をできるだけ低減し、システムの長時間の安定した動作を保証でき、当該方法は固定給電ネットワークを抜け出した状況で実施できる。
【００９２】
以上では、図面に示す実施例に基づいて本願の構造、特徴及び作用効果を詳細に説明した。以上の記載は本願の好ましい実施例に過ぎず、本願は図面で限定されている実施範囲に限らず、本願の思想に従ってなされた変更、又は同等変化に変更された同等の実施例は、明細書と図面に含まれている精神を逸脱しない場合、すべて本願の請求範囲にあるとされる。
【図１】
2019109877.tif 000003
【図２】
2019109877.tif 000004
【図３】
2019109877.tif 000005
【図４】
2019109877.tif 000006
【図５】
2019109877.tif 000007